(57)【要約】      （修正有）【課題】掴み機能と掬う機能を併せ持つトングを提供する。【解決手段】先端が自己弾性復元開口可能な一対の箸状材１ａ・１ａを有するトング部１及びトング部の基部１ｂに設けられたスプーン部２からなる。【選択図】図１
0003177218.tif 000002
【実用新案登録請求の範囲】
【請求項１】
先端が自己弾性復元開口可能な一対の箸状材を有するトング部及び該トング部の基部に設けられたスプーン部からなることを特徴とする調理用トング。
【請求項２】
上記一対の箸状材を閉状態にロック可能なロック機構を設けてなることを特徴とする請求項１記載の調理用トング。
【請求項３】
上記ロック機構として、上記一対の各箸状材に相互に係脱自在な対向一対の係脱部を形成してなることを特徴とする請求項１又は２記載の調理用トング。
【請求項４】
上記一対の箸状材を載置面上に置いたとき、該箸状材の先端部分及び上記スプーン部の該載置面への接触を防ぐ載置隆起部を該箸状材に設けてなることを特徴とする請求項１〜３のいずれか１項に記載の調理用トング。
【請求項５】
上記トング部及びスプーン部は合成樹脂の一体成型品であることを特徴とする請求項１〜４のいずれか１項に記載の調理用トング。
【考案の詳細な説明】
【技術分野】
【０００１】
本考案は、例えば、お菓子作りや汁物、煮物等の各種調理の際の菜箸やトングとして用いられる調理用トングに関するものである。
【背景技術】
【０００２】
従来、この種の調理用トングとして、金属製にして、基部に復元用バネが内蔵され、この復元用バネにより先端が弾性復元開口可能な一対の箸状材を有する構造のものが知られている。
【先行技術文献】
【特許文献】
【０００３】
【特許文献１】特開２００８−１８８０９０
【考案の概要】
【考案が解決しようとする課題】
【０００４】
しかしながらこの従来構造の場合、いわゆる、菜箸やトングとしての掴み機能をもつ専用品であり、お菓子作りや各種調理の際においては、食材等を掬う機能も併せて必要なことが多々あって、トングとスプーンとを併用することになり、それだけ、使用の利便性及び快適性を低下させることがあるという不都合を有している。
【課題を解決するための手段】
【０００５】
本考案はこのような不都合を解決することを目的とするもので、本考案のうちで、請求項１記載の考案は、先端が自己弾性復元開口可能な一対の箸状材を有するトング部及び該トング部の基部に設けられたスプーン部からなることを特徴とする調理用トングにある。
【０００６】
又、請求項２記載の考案は、上記一対の箸状材を閉状態にロック可能なロック機構を設けてなることを特徴とするものであり、又、請求項３記載の考案は、上記ロック機構として、上記一対の各箸状材に相互に係脱自在な対向一対の係脱部を形成してなることを特徴とするものであり、又、請求項４記載の考案は、上記一対の箸状材を載置面上に置いたとき、該箸状材の先端部分及び上記スプーン部の該載置面への接触を防ぐ載置隆起部を該箸状材に設けてなることを特徴とするものであり、又、請求項５記載の考案は、上記トング部及びスプーン部は合成樹脂の一体成型品であることを特徴とするものである。
【考案の効果】
【０００７】
本考案は上述の如く、請求項１記載の考案にあっては、お菓子作りや各種調理の際において、掴み機能を必要とする場合、トング部の一対の箸状材の基部側を手指で持って箸状材に手指で挟み力を加えて先端部を閉口させることにより食材等を掴むことができ、手指の挟み力を緩めれば、一対の箸状材の先端は自己弾性復元開口し、菜箸やトングとして使用することができ、かつ、食材等を掬う機能を必要とする場合、箸状材の先端部側を手指で持ってスプーン部により汁物やスープ、ソース等の調理用液体や固形物等を掬うことができ、従って、調理用トングは掴み機能及び掬い機能を併せ持つことになり、トング、菜箸等の掴み機能をもつ調理具とスプーン等の掬い機能をもつ調理具とを二つ用意する必要がなくなり、しかも、調理用トングを反転するだけで両機能を発揮することができ、使用の利便性及び快適性を向上することができる。
【０００８】
又、請求項２記載の考案にあっては、上記一対の箸状材を閉状態にロック可能なロック機構を設けてなるから、調理用トングのスプーン部により掬い機能を用いる場合や不使用時の保管状態において、一対の箸状材を閉状態にロックすることができ、一対の箸状材を手指で容易に持つことができ、スプーン部による掬い機能を良好に発揮することができると共に収納保管性を高めることができ、又、請求項３記載の考案にあっては、上記ロック機構として、上記一対の各箸状材に相互に係脱自在な対向一対の係脱部を形成してなるから、一対の各箸状材を箸状材の開閉方向と直交する横方向に僅かにずらすことにより一対の各箸状材の係脱を容易に行うことができると共に構造を簡素化することができ、又、請求項４記載の考案にあっては、上記一対の箸状材を載置面上に置いたとき、該箸状材の先端部分及び上記スプーン部の該載置面への接触を防ぐ載置隆起部を設けてなるから、載置面と箸状材の先端部分及び上記スプーン部との接触を防いで清潔に使用することができ、又、請求項５記載の考案にあっては、上記トング部及びスプーン部は合成樹脂の一体成型品であるから、樹脂成形の大量生産により容易に製作することができ、製作コストを低減することができる。
【図面の簡単な説明】
【０００９】
【図１】本考案の実施の形態例の斜視図である。
【図２】本考案の実施の形態例の平面図である。
【図３】本考案の実施の形態例の中央側断面図である。
【図４】本考案の実施の形態例の横断面図である。
【図５】本考案の実施の形態例の使用状態の横断面図である。
【図６】本考案の実施の形態例の使用状態の平面図である。
【図７】本考案の実施の形態例の使用状態の横断面図である。
【考案を実施するための形態】
【００１０】
図１乃至図７は本考案の実施の形態例を示し、Ｗは調理用トングであり、図１、図２の如く、先端が自己弾性復元開口可能な一対の箸状材１ａ・１ａを有するトング部１及びトング部１の基部１ｂに設けられたスプーン部２からなり、この場合、上記トング部１及びスプーン部２からなる調理用トングＷは、図２の如く、基部１ｂに箸状材１ａ・１ａの先端の自己弾性復元開口機能を有する合成樹脂の一体成型品となっており、かつ、一対の箸状材１ａ・１ａの先端部の内面に掴み凹凸部１ｃ・１ｃを形成している。
【００１１】
この場合、上記一対の箸状材１ａ・１ａを閉状態にロック可能なロック機構３が設けられ、そして、上記ロック機構３として、上記一対の各箸状材１ａ・１ａに相互に係脱自在な対向一対の鉤状の係脱部３ａ・３ａを形成してなり、図４、図５の如く、掴み機能として使用する場合には、対向一対の鉤状の係脱部３ａ・３ａは相互に当接してストッパー作用をなし、図６、図７の如く、掬い機能として使用する場合には、対向一対の鉤状の係脱部３ａ・３ａを一対の箸状材１ａ・１ａの開閉方向と直交する横方向に僅かにずらすことにより相互に係着して一対の各箸状材１ａ・１ａを閉状態にロックするように構成している。
【００１２】
又、この場合、図３の如く、上記一対の箸状材１ａ・１ａをまな板や調理台等の載置面Ｇ上に置いたとき、箸状材１ａ・１ａの先端部分及び上記スプーン部２の載置面Ｇへの接触を防ぐ載置隆起部１ｄ・１ｄを箸状材１ａ・１ａの底面に設けている。
【００１３】
この実施の形態例は上記構成であるから、お菓子作りや各種調理の際において、掴み機能を必要とする場合、トング部１の一対の箸状材１ａ・１ａの基部１ｂ側を手指で持って箸状材１ａ・１ａに手指で挟み力を加えて先端部を閉口させることにより食材等を掴むことができ、手指の挟み力を緩めれば、一対の箸状材１ａ・１ａの先端は自己弾性復元開口し、菜箸やトングとして使用することができ、かつ、食材等を掬う機能を必要とする場合、箸状材１ａ・１ａの先端部側を手指で持ってスプーン部２により汁物やスープ、ソース等の調理用液体や固形物等を掬うことができる。
【００１４】
従って、調理用トングＷは掴み機能及び掬い機能を併せ持つことになり、トング、菜箸等の掴み機能をもつ調理具とスプーン等の掬い機能をもつ調理具とを二つ用意する必要がなくなり、しかも、調理用トングＷを反転するだけで両機能を発揮することができ、使用の利便性及び快適性を向上することができる。
【００１５】
この場合、上記一対の箸状材１ａ・１ａを閉状態にロック可能なロック機構３を設けてなるから、調理用トングＷのスプーン部２により掬い機能を用いる場合や不使用時の保管状態において、一対の箸状材１ａ・１ａを閉状態にロックすることができ、一対の箸状材１ａ・１ａを手指で容易に持つことができ、スプーン部２による掬い機能を良好に発揮することができると共に収納保管性を高めることができ、又、この場合、上記ロック機構３として、上記一対の各箸状材１ａ・１ａに相互に係脱自在な対向一対の係脱部３ａ・３ａを形成してなるから、一対の各箸状材１ａ・１ａを箸状材１ａ・１ａの開閉方向と直交する横方向に僅かにずらすことにより一対の各箸状材１ａ・１ａの係脱を容易に行うことができると共に構造を簡素化することができ、又、この場合、上記一対の箸状材１ａ・１ａをまな板や調理台等の載置面Ｇ上に置いたとき、箸状材１ａ・１ａの先端部分及び上記スプーン部２の載置面Ｇへの接触を防ぐ載置隆起部１ｄ・１ｄを箸状材１ａ・１ａの底面に設けているから、載置面Ｇと箸状材１ａ・１ａの先端部分及び上記スプーン部２との接触を防いで清潔に使用することができ、又、この場合、上記トング部１及びスプーン部２は合成樹脂の一体成型品であるから、樹脂成形の大量生産により容易に製作することができ、製作コストを低減することができる。
【００１６】
尚、本考案は上記の形態例に限られるものではなく、トング部１、スプーン部２、ロック機構３の構造や形態等は適宜変更して設計されるものである。
【００１７】
以上の如く、所期の目的を充分達成することができる。
【符号の説明】
【００１８】
Ｗ    調理用トング
Ｇ    載置面
１    トング部
１ａ    箸状材
１ｂ    基部
１ｄ    載置隆起部
２    スプーン部
３    ロック機構
３ａ    係脱部
【図１】
0003177218.tif 000003
【図２】
0003177218.tif 000004
【図３】
0003177218.tif 000005
【図４】
0003177218.tif 000006
【図５】
0003177218.tif 000007
【図６】
0003177218.tif 000008
【図７】
0003177218.tif 000009